(57)【要約】【課題】ワンタッチ組立てによりアンプルなどを包装する緩衝部一体型の箱を形成する。【解決手段】箱１の各下フラップ１７Ｒ、１７Ｌに支承部２０Ｒ、２０Ｌを一体的に備え、支承部２０Ｒ、２０Ｌは支持壁２１Ｒ、２１Ｌ、内部壁２２Ｒ、２２Ｌ、固定壁２３Ｒ、２３Ｌにより断面略逆Ｕ字形に組み立てられる。箱１の底部は第１、第２の底壁１９Ｒ、１９Ｆを備え、それぞれ、隣接する一方の下フラップ１７Ｒ、１７Ｌに接着固定される固定部１９１、１９１と、各底壁１９Ｒ、１９Ｆの先端に略刃先形状に突出形成され、底部の組み立て時に相互に係合されるロック爪１９２、１９２とを有する。【選択図】図１
2012121587.tif 000002
【特許請求の範囲】
【請求項１】
後面壁、右側面壁、前面壁、左側面壁をなす相互に連接して形成される４面壁及びその一方の側縁に併せて形成される接着片と、
前記４面壁のうち相互に対向する２面壁の上下両端にそれぞれ形成される上フラップ及び下フラップと、
前記２面壁とは別の他の２面壁の下端にそれぞれ形成され、底面壁をなす第１、第２の底壁、及び当該他の２面壁又はその一方の１面壁の上端に形成され、上蓋をなす天壁と、
前記各下フラップに形成され、薬剤収納容器を支承し外部の衝撃から保護するための緩衝部と、
を備え、
前記第１、第２の底壁はそれぞれ、隣接する一方の前記下フラップ側に形成され、当該隣接する一方の下フラップに接着固定される固定部と、前記各底壁の先端に略刃先形状に突出形成され、前記底面壁の組み立て時に相互に他方の前記底壁の内面に係止され、かつ相互の前記略刃先形状の曲線部分が係合されるロック爪と、前記固定部と前記ロック爪との間に付設され、前記各底壁を前記底面壁の一方の対角線上に沿って谷折りにして折り畳み可能とする折り畳み線とを有し、
前記緩衝部は前記各下フラップの先端に延長して形成される一対の緩衝部形成形状部からなり、
前記一対の緩衝部形成形状部の一方は、一方の前記下フラップの先端に当該下フラップの内側に向けて略直角に折り曲げ可能に連続し、当該下フラップの内側面との間に緩衝空間を形成し、前記緩衝部形成形状部全体を支持するための支持壁と、前記支持壁に当該下フラップの内側面に対して略平行となるように略直角に折り曲げ可能に連続し、当該下フラップが形成される側面壁の内側面まで延びる内部壁と、前記内部壁に当該下フラップが形成される側面壁の内側面に対して略平行となるように略直角に折り曲げ可能に形成され、当該側面壁の内側面に接着固定されて、前記支持壁とともに前記内部壁を支持するための固定壁とを有し、前記内部壁に前記薬剤収納容器の首部側又は胴部側を挿入可能に切り欠き部が形成されるとともに、前記支持壁に前記内部壁の前記切り欠き部に連通して前記薬剤収納容器の首部又は胴部を嵌合可能に溝が形成され、
他方は、他方の前記下フラップの先端に当該下フラップの内側に向けて略直角に折り曲げ可能に連続し、当該下フラップの内側面との間に緩衝空間を形成し、前記緩衝部形成形状部全体を支持するための支持壁と、前記支持壁に当該下フラップの内側面に対して略平行となるように略直角に折り曲げ可能に連続し、当該下フラップが形成される側面壁の内側面まで延びる内部壁と、前記内部壁に当該下フラップが形成される側面壁の内側面に対して略平行となるように略直角に折り曲げ可能に形成され、当該側面壁の内側面に接着固定されて、前記支持壁とともに前記内部壁を支持するための固定壁とを有し、前記内部壁に前記薬剤収納容器の胴部側又は首部側を挿入可能に切り欠き部が形成されるとともに、前記支持壁に前記内部壁の前記切り欠き部に連通して前記薬剤収納容器の胴部又は首部を嵌合可能に溝が形成され、
前記各下フラップの内側で前記各緩衝部形成形状部が断面略逆Ｕ字形に組み立てられて、前記各固定壁が前記各下フラップが形成される各側面壁に接着固定され、
前記第１、第２の底壁の固定部がそれぞれ、隣接する一方の前記下フラップにそれぞれ接着固定されて、全体が略直方体形状の箱に組み立てられる、
ことを特徴とする包装用箱。
【請求項２】
第１、第２の底壁の各折り畳み線の一部にミシン目が切り込み形成される請求項１に記載の包装用箱。
【請求項３】
各下フラップは先端方向に向けて漸次幅狭の略台形に形成され、各緩衝部形成形状部の支持壁、内部壁、及び固定壁はそれぞれ、略四角形に形成される請求項１又は２に記載の包装用箱。
【請求項４】
一対の緩衝部形成形状部に薬剤収納容器を挿入し、嵌合させるための切り欠き部及び溝部が１組又は複数組形成される請求項１乃至３のいずれかに記載の包装用箱。
【発明の詳細な説明】
【技術分野】
【０００１】
本発明は、アンプルやバイアルなどの薬剤収納容器を包装するのに使用する包装用箱に関する。
【背景技術】
【０００２】
従来から、アンプルやバイアルなどの薬剤収納容器を包装するのに、専用の包装用箱が用いられている。
２本のアンプルを収納するアンプル収納箱が例えば特許文献１により提案されている。この文献１のアンプル収納箱は内箱と外箱とからなる。内箱は、底板と、底板の前後両端に連設され、アンプルの基体挿入部又は首部装着孔を有する仕切りを形成するための板と、底板の左右両側に連設され、内箱の両側をなす板とを備え、上下の各板が底板に向けて内側に折り曲げられ、当該各板の端部が底板に重合されて、底板の前後に四角筒状の仕切りが形成され、左右の各板が内側に折り曲げられ、各仕切りに側方から挿入されて組み立てられる。外箱は上下両端が開口された角形の箱で、この箱の中に内箱が挿入される。このようにして箱全体が二重構造になっているので、２本のアンプルを安全に収納することができる。
アンプルとバイアルを１本ずつ収納する仕切り付き包装箱が例えば特許文献２により提案されている。この文献２の包装箱は内箱と外箱とからなる。内箱は、底板と、底板の周囲の前後左右の側板と、これらの側板のうち、相互に対向する一対の側板にそれぞれ連設され、アンプル及びバイアルを両持ち状に支承するホルダを形成するためのホルダ形成板と、他の一対の側板にそれぞれ連設され、内箱の蓋をなす蓋板とを備え、各ホルダ形成板が底板に向けて内側に折り曲げられ、この板の先端の固定片が底板に固定されてホルダが形成され、各蓋板が内側に折り曲げられ、各ホルダに挿入されて組み立てられる。外箱は上下両端に蓋付きの開口を有する角形の箱で、この箱の中に内箱が挿入される。このようにして箱全体が二重構造になっているので、アンプルとバイアルを１本ずつ安全に収納することができる。
【先行技術文献】
【特許文献】
【０００３】
【特許文献１】実公昭５６−４７１０９号公報
【特許文献１】実開平  ６−１４０２２号公報
【発明の概要】
【発明が解決しようとする課題】
【０００４】
しかしながら、上記従来のアンプル収納箱や仕切り付き包装箱では、箱全体が二重構造になっているため、アンプル収納箱の場合、内箱を組み立てて各仕切りにアンプルを１本ずつ支承させた後、この内箱を外箱に挿入しなければならず、仕切り付き包装箱の場合、内箱を組み立てて各ホルダにアンプルとバイアルを１本ずつ支承させた後、この内箱を外箱に挿入しなければならず、いずれも包装作業の工数が多く、コストが増大するという問題がある。
【０００５】
本発明は、このような従来の問題を解決するものであり、この種の包装用箱において、ワンタッチで組み立て行い、包装作業の工数を削減してコストの低減を図ること、併せてアンプルやバイアルを箱外部の衝撃から確実に保護すること、さらに箱底部の強度を高め、底抜けを防止すること、を目的とする。
【課題を解決するための手段】
【０００６】
上記目的を達成するために、本発明の包装用箱は、
後面壁、右側面壁、前面壁、左側面壁をなす相互に連接して形成される４面壁及びその一方の側縁に併せて形成される接着片と、
前記４面壁のうち相互に対向する２面壁の上下両端にそれぞれ形成される上フラップ及び下フラップと、
前記２面壁とは別の他の２面壁の下端にそれぞれ形成され、底面壁をなす第１、第２の底壁、及び当該他の２面壁又はその一方の１面壁の上端に形成され、上蓋をなす天壁と、
前記各下フラップに形成され、薬剤収納容器を支承し外部の衝撃から保護するための緩衝部と、
を備え、
前記第１、第２の底壁はそれぞれ、隣接する一方の前記下フラップ側に形成され、当該隣接する一方の下フラップに接着固定される固定部と、前記各底壁の先端に略刃先形状に突出形成され、前記底面壁の組み立て時に相互に他方の前記底壁の内面に係止され、かつ相互の前記略刃先形状の曲線部分が係合されるロック爪と、前記固定部と前記ロック爪との間に付設され、前記各底壁を前記底面壁の一方の対角線上に沿って谷折りにして折り畳み可能とする折り畳み線とを有し、
前記緩衝部は前記各下フラップの先端に延長して形成される一対の緩衝部形成形状部からなり、
前記一対の緩衝部形成形状部の一方は、一方の前記下フラップの先端に当該下フラップの内側に向けて略直角に折り曲げ可能に連続し、当該下フラップの内側面との間に緩衝空間を形成し、前記緩衝部形成形状部全体を支持するための支持壁と、前記支持壁に当該下フラップの内側面に対して略平行となるように略直角に折り曲げ可能に連続し、当該下フラップが形成される側面壁の内側面まで延びる内部壁と、前記内部壁に当該下フラップが形成される側面壁の内側面に対して略平行となるように略直角に折り曲げ可能に形成され、当該側面壁の内側面に接着固定されて、前記支持壁とともに前記内部壁を支持するための固定壁とを有し、前記内部壁に前記薬剤収納容器の首部側又は胴部側を挿入可能に切り欠き部が形成されるとともに、前記支持壁に前記内部壁の前記切り欠き部に連通して前記薬剤収納容器の首部又は胴部を嵌合可能に溝が形成され、
他方は、他方の前記下フラップの先端に当該下フラップの内側に向けて略直角に折り曲げ可能に連続し、当該下フラップの内側面との間に緩衝空間を形成し、前記緩衝部形成形状部全体を支持するための支持壁と、前記支持壁に当該下フラップの内側面に対して略平行となるように略直角に折り曲げ可能に連続し、当該下フラップが形成される側面壁の内側面まで延びる内部壁と、前記内部壁に当該下フラップが形成される側面壁の内側面に対して略平行となるように略直角に折り曲げ可能に形成され、当該側面壁の内側面に接着固定されて、前記支持壁とともに前記内部壁を支持するための固定壁とを有し、前記内部壁に前記薬剤収納容器の胴部側又は首部側を挿入可能に切り欠き部が形成されるとともに、前記支持壁に前記内部壁の前記切り欠き部に連通して前記薬剤収納容器の胴部又は首部を嵌合可能に溝が形成され、
前記各下フラップの内側で前記各緩衝部形成形状部が断面略逆Ｕ字形に組み立てられて、前記各固定壁が前記各下フラップが形成される各側面壁に接着固定され、
前記第１、第２の底壁の固定部がそれぞれ、隣接する一方の前記下フラップにそれぞれ接着固定されて、全体が略直方体形状の箱に組み立てられる、
ことを要旨とする。
この包装用箱は、次のような構成を併せて備えることが好ましい。
（１）第１、第２の底壁の各折り畳み線の一部にミシン目が切り込み形成される。
（２）各下フラップは先端方向に向けて漸次幅狭の略台形に形成され、各緩衝部形成形状部の支持壁、内部壁、及び固定壁はそれぞれ、略四角形に形成される。
（３）一対の緩衝部形成形状部に薬剤収納容器を挿入し、嵌合させるための切り欠き部及び溝部が１組又は複数組形成される。
【発明の効果】
【０００７】
本発明の包装用箱によれば、上記の構成を備え、各下フラップの内側で各緩衝部形成形状部が断面略逆Ｕ字形に組み立てられて、各固定壁が各下フラップが形成される各側面壁に接着固定され、第１、第２の底壁の固定部がそれぞれ、隣接する一方の下フラップにそれぞれ接着固定されて、全体が略直方体形状の箱に組み立てられるので、ワンタッチで組み立て行え、包装作業の工数を削減してコストの低減を図ることができる。
また、箱内部の緩衝部にアンプルやバイアルなどの薬剤収納容器が支承されるので、薬剤収納容器を箱外部の衝撃から確実に保護することができる。
さらに、この箱の場合、第１、第２の底壁の固定部がそれぞれ、隣接する一方の下フラップに接着固定され、底面壁の組み立て時に、各底壁先端の略刃先形状のロック爪が相互に他方の底壁の内面に係止され、かつ相互の略刃先形状の曲線部分が係合されるので、箱底部の強度を高め、底抜けを確実に防止することができる。
【図面の簡単な説明】
【０００８】
【図１】本発明の一実施の形態における包装用箱の全体構成を示す斜視図
【図２】同包装用箱の組み立て前の紙基材を示す平面図（展開図）
【発明を実施するための形態】
【０００９】
次に、この発明を実施するための形態について図を用いて説明する。図１に包装用箱を示している。図１に示すように、包装用箱Ｂは、略直方体形状の箱１からなり、箱１の底部（底面壁１９）に、この箱１内部に収納する薬剤収納容器を箱１外部の衝撃から保護するための緩衝部２を一体に備える。なお、ここで例示する包装用箱Ｂは厚紙その他の紙材からなり、２本のアンプルをそれぞれ横置きに支承して収納可能な直方体形状の箱になっている。
【００１０】
図１に示すように、箱１は後面壁１１、右側面壁１２、前面壁１３、左側面壁１４をなす相互に連接して形成される４面壁及びその一方の側縁に併せて形成される接着片１５と、４面壁のうち相互に対向する２面壁、この場合、左右の各側面壁１２、１４の上下両端にそれぞれ形成される一対の上フラップ１６Ｒ、１６Ｌ及び下フラップ１７Ｒ、１７Ｌと、この２面壁とは別の他の２面壁、この場合、後面壁１１及び前面壁１３の下端にそれぞれ形成され、底面壁１９をなす第１、第２の底壁１９Ｒ、１９Ｆ及び当該他の２面壁又はその一方の１面壁、この場合、後面壁１１の上端に形成され、上蓋１８をなす天壁１８１及び差し込み片１８２とを備え、上蓋１８が開封可能に構成される。
【００１１】
この箱１の第１、第２の底壁１９Ｒ、１９Ｆはそれぞれ、隣接する一方の下フラップ１７Ｒ又は１７Ｌ側の片側一方に形成され、当該隣接する一方の下フラップ１７Ｒ又は１７Ｌに接着固定される固定部１９１、１９１と、各底壁１９Ｒ、１９Ｆの先端に略刃先形状に突出形成され、底面壁１９の組み立て時に相互に他方の底壁１９Ｆ又は１９Ｒの内面（内側面）に係止され、かつ相互の略刃先形状の曲線部分が底面壁１９の一方の対角線上で係合される（接触し合う）ロック爪１９２、１９２とを有し、固定部１９１、１９１とロック爪１９２、１９２との間に、各底壁１９Ｒ、１９Ｆを底面壁１９の一方の対角線上に沿って谷折りにして折り畳み可能とする折り畳み線１９３、１９３（図２参照）が付設される。
【００１２】
この箱１の緩衝部２は各下フラップ１７Ｒ、１７Ｌの先端に延長して形成される一対の緩衝部形成形状部２Ｒ、２Ｌからなる。
一方の緩衝部形成形状部２Ｒは、一方の下フラップ１７Ｒの先端に当該下フラップ１７Ｒの内側に向けて略直角に折り曲げ可能に連続し、当該下フラップ１７Ｒの内側面との間に緩衝空間Ｓを形成し、一方の緩衝部形成形状部２Ｒ全体を支持するための支持壁２１Ｒと、支持壁２１Ｒに当該下フラップ１７Ｒの内側面に対して略平行となるように略直角に折り曲げ可能に連続し、当該下フラップ１７Ｒが形成される側面壁１２の内側面まで延びる内部壁２２Ｒと、内部壁２２Ｒに当該下フラップ１７Ｒが形成される側面壁１２の内側面に対して略平行となるように略直角に折り曲げ可能に形成され、当該側面壁１２の内側面に接着固定されて、支持壁２１Ｒとともに内部壁２２Ｒを支持するための固定壁２３Ｒとを有し、内部壁２２Ｒに２本のアンプルの首部側又は胴部側、この場合は、首部側を挿入可能に２つの切り欠き部２２１、２２１が左右方向に向けて２列平行に形成されるとともに、支持壁２１Ｒに内部壁２２Ｒの各切り欠き部２２１、２２１に連通して２本のアンプルの首部又は胴部の中間部、この場合は、首部を嵌合可能に２つの溝部２２２、２２２が形成される。この緩衝部形成形状部２Ｒにより２本のアンプルの首部側支承部２０Ｒが形成される。
他方の緩衝部形成形状部２Ｌは、他方の下フラップ１７Ｌの先端に当該下フラップ１７Ｌの内側に向けて略直角に折り曲げ可能に連続し、当該下フラップ１７Ｌの内側面との間に緩衝空間Ｓを形成し、他方の緩衝部形成形状部２Ｌ全体を支持するための支持壁２１Ｌと、支持壁２１Ｌに当該下フラップ１７Ｌの内側面に対して略平行となるように略直角に折り曲げ可能に連続し、当該下フラップ１７Ｌが形成される側面壁１４の内側面まで延びる内部壁２２Ｌと、内部壁２２Ｌに当該下フラップ１７Ｌが形成される側面壁１４の内側面に対して略平行となるように略直角に折り曲げ可能に形成され、当該側面壁１４の内側面に接着固定されて、支持壁２１Ｌとともに内部壁２２Ｌを支持するための固定壁２３Ｌとを有し、内部壁２２Ｌに２本のアンプルの胴部側又は首部側、この場合は、胴部側を挿入可能に２つの切り欠き部２２１、２２１が左右方向に向けて２列平行に形成されるとともに、支持壁２１Ｌに内部壁２２Ｌの各切り欠き部２２１、２２１に連通して２本のアンプルの胴部の中間部又は首部、この場合は、胴部の中間部を嵌合可能に溝部２２３、２２３が形成される。この緩衝部形成形状部２Ｌにより２本のアンプルの胴部側支承部２０Ｌが形成される。
【００１３】
このようにして各下フラップ１７Ｒ、１７Ｌの内側で各緩衝部形成形状部２Ｒ、２Ｌが断面略逆Ｕ字形に組み立てられて、各固定壁２３Ｒ、２３Ｌが各下フラップ１７Ｒ、１７Ｌが形成される各側面壁１２、１４に接着固定される。そして、第１、第２の底壁１９Ｒ、１９Ｆの固定部１９１、１９１がそれぞれ、隣接する一方の下フラップ１７Ｒ、１７Ｌにそれぞれ接着固定されて、全体が略直方体形状の箱１に組み立てられる
【００１４】
この箱１はブランクシート（空白紙）を打ち抜いて一体に形成された図２に示す一枚の紙基材Ｐからなり、この紙基材Ｐを折り曲げて組み立て、一部を接着剤により接着固定することにより形成される。図２に示すように、この紙基材Ｐは、一方の側部側に所定の大きさを有する横長の矩形状の後面壁部分１１Ｐが形成され、この後面壁部分１１Ｐの一方の短辺側に、箱１の右側面壁１２をなす所定の大きさを有する横長の矩形状の右側面壁部分１２Ｐ、前面壁１３をなす後面壁部分１１Ｐと同じ大きさ、形状を有する前面壁部分１３Ｐ、左側面壁１４をなす右側面壁部分１２Ｐと同じ大きさ、形状を有する左側面壁部分１４Ｐ、一方の側縁の接着片１５をなす小片状の接着片部分１５Ｐが順次、折れ線３１、３２、３３、３４を介して連続して形成され、さらに、後面壁部分１１Ｐの一方の長辺側に折れ線３５を介して延出され、上蓋１８をなす矩形状の天壁部分１８１Ｐ、及びその延長上に折れ線３６を介して連続して形成され、箱１の組み立て時に前面壁部分１３Ｐの内側に差し込まれる横長の帯状の差し込み部分１８２Ｐと、後面壁部分１１Ｐの他方の長辺側に折れ線３７を介して延出され、第１の底壁１９Ｒをなす略矩形又は略台形の基本形状を変形してなる第１の底壁部分１９ＲＰと、右側面壁部分１２Ｐの一方の長辺側に折れ線３８を介して延出され、上フラップ１６Ｒをなす台形状の上フラップ部分１６１Ｐと、右側面壁部分１２Ｐの他方の長辺側に折れ線３９を介して延出され、下フラップ１７Ｒをなす台形状の下フラップ部分１７１Ｐ、及びその延長上に折れ線４０を介して連続して形成され、緩衝部２の首部側支承部２０Ｒを形成するための複合形状からなる一方の緩衝部形成形状部部分２０１Ｐと、前面壁部分１３Ｐの他方の長辺側に折れ線４１を介して延出され、第２の底壁１９Ｆをなす第１の底壁部分１９ＲＰと同じ大きさ、形状を有する第２の底壁部分１９ＦＰと、左側面壁部分１４Ｐの一方の長辺側に折れ線４２を介して延出され、上フラップ１６Ｌをなす一方の上フラップ部分１６１Ｐと概ね同じ大きさ、形状（但し、前面壁部分１３Ｐを境に左右対称の形状）を有する上フラップ部分１６２Ｐと、左側面壁部分１４Ｐの他方の長辺側に折れ線４３、４４を介して延出され、一方の下フラップ部分１７１Ｐ及び緩衝部形成形状部２０１Ｐと概ね同じ大きさ、形状を有する他方の下フラップ部分１７２Ｐ及び緩衝部形成形状部２０２Ｐとを備える。
【００１５】
この場合、前後、左右の各側面壁部分１１Ｐ、１３Ｐ、１２Ｐ、１４Ｐの高さはすべて同じ、後面壁部分１１Ｐの幅と前面壁部分１３Ｐの幅は同じ、左側面壁部分１２Ｐの幅と右側面壁部分１４Ｐの幅は同じで、前後の各面壁部分１１Ｐ、１３Ｐの幅が左右の各側面壁部分１２Ｐ、１４Ｐの幅よりも少し大きくなっている。天壁部分１８１Ｐは箱１の上開口面全面を閉塞可能な大きさを有している。第１、第２の底壁部分１９ＲＰ、１９ＦＰはそれぞれ箱１の下開口面を概ね半面ずつ閉塞可能に同じ大きさを有している。これら第１、第２の底壁部分１９ＲＰ、１９ＦＰはそれぞれ、略矩形又は略台形の基本形状を有し、隣接する一方の下フラップ部分１７１Ｐ、１７２Ｐ側の一方の側部が他方の側部よりも少し先方に突出して大きく形成されて、当該隣接する一方の下フラップ部分１７１Ｐ、１７２Ｐに接着固定される固定部分１９１Ｐ、１９１Ｐになっており、また、各底壁部分１９ＲＰ、１９ＦＰの先端の中央に近接する位置に略刃先形状（例えば日本刀などの刀の先に似た形状）が突出形成されて、底面壁１９部分の組み立て時に相互に他方の底壁部分１９ＦＰ、１９ＲＰの内側面に係止可能に、かつ相互の略刃先形状の曲線部分が底面壁１９部分の一方の対角線上で接触し係合可能なロック爪部分１９２Ｐ、１９２Ｐになっている。なお、ここでは、第１、第２の底壁部分１９ＲＰ、１９ＦＰはそれぞれ、各側面壁部分１１Ｐ、１３Ｐ（後面壁部分１１Ｐ、前面壁部分１３Ｐ）の長辺部分から少し内側に向けて斜めに（ここで説明の便宜上、一方の斜めの部分を１９Ｎ、１９Ｎとする。）に形成されて各側面壁部分１１Ｐ、１３Ｐよりも少し幅狭になって当該長辺部分に対して直角方向に延出され、先端はそれぞれ、ロック爪部分１９２Ｐ、１９２Ｐを境に片側一方、この場合、固定部分１９１Ｐ、１９１Ｐ側が片側他方よりも先方に延びて少し長く、段差形状をなし、また、固定部分１９１Ｐ、１９１Ｐの先端はロック爪部分１９２Ｐ、１９２Ｐ側の縁部が各側面壁部分１１Ｐ、１３Ｐ側に斜めに形成されて、ロック爪部分１９２Ｐ、１９２Ｐとの間が溝形形状をなしている。さらに、これらの底壁部分１９ＲＰ、１９ＦＰにはそれぞれ、固定部分１９１Ｐとロック爪部分１９２Ｐとの間で底壁部分１９ＲＰ、１９ＦＰの固定部分１９１Ｐ、１９１Ｐ側の側縁部の斜めの部分Ｎ、Ｎの延長上に斜めに、各底壁部分１９ＲＰ、１９ＦＰを底面壁１９部分の一方の対角線上に沿って谷折りにして折り畳み可能に折れ線が付けられ、その一部にミシン目状の切り込み１９４、１９４が入れられて、折り畳み線１９３、１９３が形成される。各上フラップ部分１６１Ｐ、１６２Ｐは箱１の上開口面を概ね半面ずつ閉塞可能に同じ大きさを有している。また、このフラップ部分１６１Ｐ、１６２Ｐの場合、右側面壁部分１２Ｐ側の上フラップ部分１６１Ｐは天壁部分１８１Ｐ側の辺が右側面壁部分１２Ｐの上縁部に対して直角に延ばされていて、左側面壁部分１４Ｐ側の上フラップ部分１６２Ｐは天壁部分１８１Ｐ側の辺が左側面壁部分１４Ｐの上縁部から天壁部分１８１Ｐから少し離れるように傾斜して延ばされている。なお、各上フラップ部分１６１Ｐ、１６２Ｐの他方の辺はいずれも各側面壁部分１２Ｐ、１４Ｐと前面壁部分１３Ｐとの間の折れ線３２、３３に対して（各側面壁部分１２Ｐ、１４Ｐ側に）僅かに下がった位置から少し略直状に延び、この略直状の部分を介して前面壁部分１３Ｐから離れる方向に傾斜して延ばされている。各下フラップ部分１７１Ｐ、１７２Ｐは箱１の下開口面を概ね半面に達しない所定の範囲まで閉塞可能に（この場合、各下フラップ１７Ｒ、１７Ｌ間に所定の間隔が形成されるように）同じ大きさを有している。
【００１６】
そして、２つの緩衝部形成形状部部分２０１Ｐ、２０２Ｐはそれぞれ、下フラップ部分１７１Ｐ、１７２Ｐの先端に延長して、緩衝部２の支持壁２１Ｒ、２１Ｌをなす矩形状の支持壁部分２１１Ｐ、２１２Ｐ、内部壁２２Ｒ、２２Ｌをなす矩形状の内部壁部分２２１Ｐ、２２２Ｐ、固定壁２３Ｒ、２３Ｌをなす矩形状の固定壁部分２３１Ｐ、２３２Ｐが順次、折れ線４０，４４、４６１，４６２、４７１，４７２を介して連続して形成され、内部壁部分２２１Ｐ、２２２Ｐにそれぞれ、２本のアンプルの首部側又は胴部側を挿入可能に２つの切り欠き部２２１、２２１が形成されるとともに、支持壁部分２１１Ｐ、２１２Ｐに内部壁２２１Ｐ、２２２Ｐの各切り欠き部２２１、２２１に連通して２本のアンプルの首部又は胴部の中間部を嵌合可能に２つの溝部２２２、２２３が形成される。この場合、支持壁部分２１１Ｐ、２１２Ｐは横方向の長さが下フラップ部分１７１Ｐ、１７２Ｐの先端の長さと同じで、縦方向の長さが横方向の長さよりも短い横長に形成される。内部壁部分２２１Ｐ、２２２Ｐは横方向の長さが支持壁部分２１１Ｐ、２１２Ｐの横方向の長さと同じで、縦方向の長さが横方向の長さよりも短い横長に形成される。固定壁部分２３１Ｐ、２３２Ｐは横方向の長さが内部壁部分２２１Ｐ、２２２Ｐの横方向の長さと同じで、縦方向の長さが横方向の長さよりも短く、特に支持壁部分２１１Ｐ、２１２Ｐの縦の長さよりも少し短い横長に形成される。また、この場合、下フラップ部分１７１Ｐ側の緩衝部形成形状部２Ｒの内部壁部分２２１Ｐに、２本のアンプルの首部側の端部を挿入可能に、内部壁部分２２１Ｐと支持壁部分２１１Ｐとの間の折れ線４６１と内部壁部分２２１Ｐと固定壁部分２３１Ｐとの間の折れ線４７１との間に、アンプルの首部側の端部を挿入可能に細長い矩形状の切り欠き部２２１が２つ平行に切り欠き形成され、支持壁部分２１１Ｐに２本のアンプルの首部を嵌合可能に、支持壁部分２１１Ｐと内部壁部分２２１Ｐとの間の折れ線４６１から支持壁部分２１１Ｐの平面に内部壁部分２２１Ｐの各切り欠き部２２１に連続して下フラップ部分１７１Ｐに向けて漸次幅狭のテーパ状の溝形状部２２４、及びこの溝形状部２２４の終端に連続してアンプルの首部を拘束可能な直径を有する円形の溝形状部２２５からなる溝部２２２が２つ平行に形成される。また、下フラップ部分１７２Ｐ側の緩衝部形成形状部２Ｌの内部壁部分２２２Ｐに、２本のアンプルの胴部側の端部を挿入可能に、内部壁部分２２２Ｐと支持壁部分２１２Ｐとの間の折れ線４６２と内部壁部分２２２Ｐと固定壁部分２３２Ｐとの間の折れ線４７２との間に、アンプルの胴部側の端部を挿入可能に細長い矩形状の切り欠き部２２１が２つ平行に切り欠き形成され、支持壁部分２１２Ｐに２本のアンプルの胴部の中間部を嵌合可能に、支持壁部分２１２Ｐと内部壁部分２２２Ｐとの間の折れ線４６２から支持壁部分２１２Ｐの平面に内部壁部分２２２Ｐの各切り欠き部２２１に連続して下フラップ部分１７２Ｐに向けて漸次幅狭のテーパ状の溝形状部２２６、及びこの溝形状部２２６の終端に連続してアンプルの胴部の中間部を拘束可能な直径を有する円形の溝形状部２２７からなる溝部２２３が２つ平行に形成される。
【００１７】
このような構成からなる紙基材Ｐは、まず、各緩衝部形成形状部２０１Ｐ、２０２Ｐの各部分２１１Ｐ〜２３１Ｐ、２１２Ｐ〜２３２Ｐが次のように折り曲げられて、緩衝部２（首部側支承部２０Ｒ、胴部側支承部２０Ｌ）が組み立てられる。図２及び図１を参照しながら説明する。
（１）まず初めに、下フラップ部分１７１Ｐ、１７２Ｐに対して折れ線４０、４４を介して支持壁部分２１１Ｐ、２１２Ｐがそれぞれの内側面を内側にして略直角に折り曲げられて、下フラップ部分１７１Ｐ、１７２Ｐの先端に直角に支持壁２１Ｒ、２１Ｌが形成される。続いて、この支持壁２１Ｒ、２１Ｌに対して折れ線４６１、４６２を介して内部壁部分２２１Ｐ、２２２Ｐがそれぞれの内側面を内側にして略直角に折り曲げられて、内部壁２２Ｒ、２２Ｌが形成され、内部壁２２Ｒ、２２Ｌが下フラップ部分１７１Ｐ、１７２Ｐの内側面に沿って緩衝空間Ｓ、Ｓを介して配置される。これに続いて、内部壁２２Ｒ、２２Ｌに対して折れ線４７１、４７２を介して固定壁部分２３１Ｐ、２３２Ｐがそれぞれの内側面を内側にして略直角に折り曲げられて、固定壁２３Ｒ、２３Ｌが形成され、固定壁２３Ｒ、２３Ｌが内部壁２２Ｒ、２２Ｌと下フラップ部分１７１Ｐ、１７２Ｐとの間に配置される。このようにして各側面壁部分１２Ｐ、１４Ｐに対して折れ線３９、４３を介して各下フラップ部分１７１Ｐ、１７２Ｐがそれぞれの内側面を内側にして略直角に折り曲げられて、下フラップ１７Ｒ、１７Ｌが形成され、各固定壁２３Ｒ、２３Ｌが各側面壁部分１２Ｐ、１４Ｐの内側面に当接され、各固定壁２３Ｒ、２３Ｌは各側面壁部分１２Ｐ、１４Ｐの内側面に接着剤を介して接着固定される。このようにして緩衝部２が組み立てられる。
（２）次に、箱１の各部分１１Ｐ〜１９ＲＰ、１９ＦＰが折り曲げられて、箱１が組み立てられる。まず、後面壁部分１１Ｐに対して折れ線３１を介して右側面壁部分１２Ｐがそれぞれの内側面を内側にして略直角に折り曲げられて、後面壁１１及び右側面壁１２が形成される。続いて、この右側面壁１２に対して折れ線３２を介して前面壁部分１３Ｐがそれぞれの内側面を内側にして略直角に折り曲げられて、前面壁１３が形成される。続いて、この前面壁１３に対して折れ線３３を介して左側面壁部分１４Ｐがそれぞれの内側面を内側にして略直角に折り曲げられ、左側面壁１４が形成される。続いて、左側面壁１４に対して折れ線３４を介して接着片部分１５Ｐがそれぞれの内側面を内側にして略直角に折り曲げられて、接着片１５が形成され、この接着片１５が後面壁１１の他方の側縁の内側に接着剤を介して接着固定される。この接着片１５の接着固定により、箱１内部に組み立て後の緩衝部２が組み入れられる。続いて、後側面壁１１及び前側面壁１３に対して折れ線３７、４１を介して第１、第２の底壁部分１９ＲＰ、１９ＦＰがそれぞれの内側面を内側にして略直角に折り曲げられて、第１、第２の底壁１９Ｒ、１９Ｆが形成され、箱１の下開口が閉塞される。この場合、第１、第２の底壁１９Ｒ、１９Ｆの各ロック爪１９２、１９２は相互に他方の底壁１９Ｆ、１９Ｒの内側平面上に係止され、各ロック爪１９２、１９２の略刃先形状の曲線部分が相互に接触して係合され、これにより第１、第２の底壁１９Ｒ、１９Ｆがロックされる。なお、各ロック爪１９２、１９２は箱１内部の緩衝部２の首部側支承部２０Ｒと胴部側支承部２０Ｌとの間に配置され、相互の略刃先形状の曲線部分が係合される。そして、第１の底壁１９Ｒの固定部１９１が隣接する一方の下フラップ１７Ｒに接着剤を介して接着固定され、第２の底壁１９Ｆの固定部１９１が隣接する一方の下フラップ１７Ｌに接着剤を介して接着固定される。ここまでの組み立てが終わった段階で、箱１の組み立ては一旦中断され、この後の組み立て及び必要箇所の接着固定は、箱１内部にアンプルが収納された後に、引き続き行われる。
この包装用箱Ｂの場合、第１、第２の底壁１９Ｒ、１９Ｆに折り畳み線１９３、１９３が形成されており、この折り畳み線１９３、１９３を谷にして折り畳み可能であり、この折り畳みとともに、緩衝部２は各側面壁１２、１４側に分かれて、各側面壁１２、１４と下フラップ１７Ｒ、１７Ｌとの間の折れ線３９、４３、下フラップ１７Ｒ、１７Ｌと緩衝部形成形状部２Ｒ、２Ｌとの間の折れ線４０、４４、緩衝部形成形状部２Ｒ、２Ｌの各折れ線４６１、４６２、４７１、４７２を介して各側面壁１２、１４の内側面上に折り畳み可能となり、包装用箱１全体を扁平状に折り畳むことができ、多数の包装用箱１の保管、移送を省スペースで簡易に行うことができる。
（３）そして、この包装用箱Ｂの使用に際して、すなわち、この包装用箱Ｂの内部に２本のアンプルを収納する場合に、箱１が折り畳まれた状態から箱形に戻され、上面が開口される。すなわち、箱１は箱形に戻すだけのワンタッチで組み立てが可能であり、箱１が箱形に戻されると同時に、箱１内部で２つに分かれて折り畳まれた緩衝部２が元の状態又はそれに近い形まで戻され、併せてこの緩衝部２の下部の各下フラップ１７Ｒ、１７Ｌに固定された第１、第２の底壁１９Ｒ、１９Ｆが箱１の底面内に略水平に配置されるとともに、第１、第２の底壁１９Ｒ、１９Ｆの各ロック爪１９２、１９２が相互に他方の底壁１９Ｆ、１９Ｒの内側平面上に係止され、各ロック爪１９２、１９２の略刃先形状の曲線部分が相互に係合して、第１、第２の底壁１９Ｒ、１９Ｆがロックされ、底面壁１９が構成される。なお、この場合、第１、第２の底壁１９Ｒ、１９Ｆが後面壁１１及び前面壁１３に対して直角に復帰されず、箱１内部で緩衝部２を含む底面壁１９が断面略逆Ｖ字形を呈することになることがあるが、これはアンプルの収納とともに修正される。
（４）このようにして２本のアンプルが箱１に上開口から緩衝部２に挿入されて収納される。この場合、各アンプルの首部が箱１内部の首部側支承部２０Ｒに嵌め込まれ、胴部が胴部側支承部２０Ｌに嵌め込まれて、緩衝部２に支承される。なお、箱１内部で緩衝部２を含む底面壁１９が断面略逆Ｖ字形に変形されている場合、２本のアンプルが箱１内に収納されると、緩衝部２がアンプルにより上から下方に向けて押されて、各内部壁２２Ｒ、２２Ｌが各下フラップ１７Ｒ、１７Ｌ、各底壁１９Ｒ、１９Ｆとともに各側面壁１２、１４、後面壁１１及び前面壁１３に対して略直角に押し戻され、このとき、各底壁１９Ｒ、１９Ｆの各ロック爪１９２、１９２が他方の底壁１９Ｆ、１９Ｒの内側面に差し込まれて、緩衝部２が底面壁１９の各部とともに各側面壁１２、１４、後面壁１１及び前面壁１３に対して略直角に押し戻されたところで、各ロック爪１９２、１９２が他方の底壁１９Ｆ、１９Ｒ上に完全に係止されるとともに相互の略刃先形状の曲線部分が係合されて固定状態となる。また、各支承部２０Ｒ、２０Ｌは箱１の底面壁１９の前後に各支持壁２１Ｒ、２１Ｌにより突っ張り支持され、これらの支承部２０Ｒ、２０Ｌからなる緩衝部２に２本のアンプルが支承されて、安定的に保持される。
（５）このように２本のアンプルが箱１内部に収納されると、右側面壁１２及び左側面壁１４に対して折れ線３８、４２を介して各上フラップ部分１６１Ｐ、１６２Ｐがそれぞれの内側面を内側にして略直角に折り曲げられて、各上フラップ１６Ｒ、１６Ｌが形成され、箱１の上開口が閉塞される。そして、後面壁１１Ｐ部分に対して折れ線３５を介して天壁部分１８１Ｐがそれぞれの内側面を内側にして略直角に折り曲げられて、上蓋１８が形成される。このとき、上蓋１８の差し込み部分１８２Ｐが内側に略直角に折り曲げられて、差し込み部１８２が形成され、この差し込み部１８２が前面壁１３の内側に差し込まれて、上開口が閉じられる。
【００１８】
このようにして包装用箱Ｂは組み立てられ、箱１内部の底部上に組み立てられた緩衝部２に２本のアンプルが横置きにして収納され、この緩衝部２により各アンプルは保護される。この緩衝部２の場合、箱１の底部にアンプルの首部側を支承する首部側支承部２０Ｒと、アンプルの胴部側を支承する胴部側支承部２０Ｌとからなり、２本のアンプルがそれぞれ、首部を首部側支承部２０Ｒの各切り欠き部２２１を通して各溝部２２２に支承され、胴部側を胴部側支承部２０Ｌの各切り欠き部２２１を通して各溝部２２３に支承される。この緩衝部２は各内部壁２２Ｒ、２２Ｌと各下フラップ１７Ｒ、１７Ｌの内側面との間に介在される各支持壁２１Ｒ、２１Ｌにより突っ張り支持されて撓みにくい構造で、また、各支持壁２１Ｒ、２１Ｌがばね作用を有するので、緩衝部２全体が十分な弾性（クッション作用）を有し、箱１外部の衝撃が十分に緩和され、各アンプルは確実に保護される。また、この緩衝部２の場合、第１、第２の底壁１９Ｒ、１９Ｆの各ロック爪１９２、１９２が相互に他方の底壁１９Ｆ、１９Ｒの内側平面上に係止され、各ロック爪１９２、１９２の略刃先形状の曲線部分が相互に係合して、第１、第２の底壁１９Ｒ、１９Ｆがロックされるので、この緩衝部２上に２本のアンプルが載せられた状態で、箱１に、アンプルが箱１の底面壁１９を押圧する方向に力が加えられても、底面壁１９は各ロック爪１９２、１９２が相互に作用し合い、その組み立て後の初期形状が保持されて、箱１の外側に向けて押し開かれることがなく、アンプルが底抜けすることがない。
【００１９】
なお、この包装用箱Ｂは、第１、第２の底壁１９Ｒ、１９Ｆの折り畳み線１９３、１９３にミシン目状の切り込み１９４、１９４が入れられているので、この折り畳み線１９３、１９３に沿って各底壁１９Ｒ、１９Ｆをそれぞれ二つに切り離すことにより、底面壁１９を一方の対角線に沿って容易に折り畳むことができ、アンプル使用後の箱１を扁平状に畳んで、嵩張ることなく、廃棄することができる。
【００２０】
以上説明したように、この包装用箱Ｂでは、各下フラップ１７Ｒ、１７Ｌの内側で各緩衝部形成形状部２Ｒ、２Ｌが断面略逆Ｕ字形に組み立てられて、各固定壁２３Ｒ、２３Ｌが各下フラップ１７Ｒ、１７Ｌが形成される各側面壁１２、１４に接着固定され、第１、第２の底壁１９Ｒ、１９Ｆの各固定部１９１、１９１がそれぞれ、隣接する一方の下フラップ１７Ｒ、１７Ｌにそれぞれ接着固定されて、全体が略直方体形状の箱１に組み立てられるので、ワンタッチで組み立て行い、包装作業の工数を削減してコストの低減を図ることができる。また、箱１内部の緩衝部２に２本のアンプルが支承されるので、各アンプルを箱１外部の衝撃から確実に保護することができる。さらに、この箱１の場合、第１、第２の底壁１９Ｒ、１９Ｆの各固定部１９１、１９１がそれぞれ、隣接する一方の下フラップ１７Ｒ、１７Ｌに接着固定され、底面壁１９の組み立て時に、各底壁１９Ｒ、１９Ｆ先端の略刃先形状のロック爪１９２、１９２が相互に他方の底壁１９Ｆ、１９Ｒの内面に係止され、かつ相互の略刃先形状の曲線部分が係合されるので、箱１底部の強度を高め、底抜けを確実に防止することができる。またさらに、この箱１の場合、第１、第２の底壁１９Ｒ、１９Ｆの各折り畳み線１９３、１９３の一部にミシン目状の切り込み１９４が形成されているので、各底壁１９Ｒ、１９Ｆを折り畳み線１９３、１９３に沿って切り離すことができ、この切り離しにより、アンプル使用後の箱１が畳みやすくなり、使用済みの箱１を扁平状に畳んで、嵩張ることなく、廃棄することができる。
【００２１】
なお、この実施の形態では、２本入りのアンプル専用の包装用箱を例示したが、２本入りのバイアル専用の包装用箱でも、各１本入りのアンプル及びバイアル専用の包装用箱でも、上記と概ね同様の構成により形成することができ、上記と同様の作用効果を奏することができる。また、緩衝部の各支承部に２組の切り欠き部及び溝部を設け、２本のアンプルを支承するものとしたが、箱全体の大きさを変えて、緩衝部に切り欠き部及び溝部を１組設けて１本用としてもよく、３組以上設けて３本用又はそれ以上の本数を収納できるようにしてもよい。
【００２２】
また、この実施の形態では、４面壁のうちの１面壁（後面壁）の上端に上蓋が形成され、先端の差し込み片がこれに対向する１面壁（前面壁）の内側に差し込まれる形式になっているが、４面壁のうちの相互に対向する２面壁の一方の上端に内蓋、他方に上蓋が設けられて、上蓋が内蓋の上に接着固定される形式にしてもよい。
【符号の説明】
【００２３】
Ｂ  包装用箱
１  箱
１１  後面壁
１２  右側面壁
１３  前面壁
１４  左側面壁
１５  接着片
１６Ｒ  上フラップ
１６Ｌ  上フラップ
１７Ｒ  下フラップ
１７Ｌ  下フラップ
１８  上蓋
１８１  天壁
１８２  差し込み片
１９  底面壁
１９Ｒ  第１の底壁
１９Ｆ  第２の底壁
１９１  固定部
１９２  ロック爪
１９３  折り畳み線
１９４  切り込み
２  緩衝部
２０Ｒ  首部側支承部
２０Ｌ  胴部側支承部
２Ｒ  緩衝部形成形状部
２Ｌ  緩衝部形成形状部
Ｓ  緩衝空間
２１Ｒ、２１Ｌ  支持壁
２２Ｒ、２２Ｌ  内部壁
２３Ｒ、２３Ｌ  固定壁
２２１  切り欠き部
２２２  溝部
２２３  溝部
２２４  テーパ状の溝形状部
２２５  円形の溝形状部
２２６  テーパ状の溝形状部
２２７  円形の溝形状部
Ｐ  紙基材
１１Ｐ  後面壁部分
１２Ｐ  右側面壁部分
１３Ｐ  前面壁部分
１４Ｐ  左側面壁部分
１５Ｐ  接着片部分
１６１Ｐ  上フラップ部分
１６２Ｐ  上フラップ部分
１７１Ｐ  下フラップ部分
１７２Ｐ  下フラップ部分
１８  上蓋
１８１Ｐ  天壁部分
１８２Ｐ  差し込み片部分
１９ＲＰ  第１の底壁部分
１９ＦＰ  第２の底壁部分
１９１Ｐ  固定部分
１９２Ｐ  ロック爪部分
１９Ｎ  斜めの部分
２０１Ｐ  緩衝部形成形状部部分
２１１Ｐ  支持壁部分
２２１Ｐ  内部壁部分
２３１Ｐ  固定壁部分
２０２Ｐ  緩衝部形成形状部部分
２１２Ｐ  支持壁部分
２２２Ｐ  内部壁部分
２３２Ｐ  固定壁部分
３１〜４４  折れ線
４６１  折れ線
４７１  折れ線
４６２  折れ線
４７２  折れ線
【図１】
2012121587.tif 000003
【図２】
2012121587.tif 000004